(57)【特許請求の範囲】
【請求項１】
乗場開口部を覆う養生シートと、この養生シートに複数本装着され、養生シートの左右方向とその長尺方向とが略平行に配置された棒状体と、上記乗場開口部の近傍の壁部に対を成すように固定した支持体とを備え、上記支持体に上記棒状体の両端をそれぞれ支持したエレベータ乗場開口部の養生装置において、
上記支持体は、
上記乗場開口部の近傍の壁部に固定した固定部材と、この固定部材に対して開き角度を調整可能に連結した支持部材と、上記棒状体の端部を支持するように上記支持部材に形成した支持部とを有するとともに、
上記乗場開口部の上方部及び上記乗場開口部の高さ方向中間部に、それぞれ対を成して対向配置し、上記高さ方向中間部に対を成して対向配置したものは、それぞれその上下方向二段に上記支持部を有することを特徴とするエレベータ乗場開口部の養生装置。
【請求項２】
請求項１記載のものにおいて、上記各支持体は、上記乗場開口部の正面壁にそれぞれ固定したことを特徴とするエレベータの乗場開口部の養生装置。
【請求項３】
請求項１記載のものにおいて、上記各支持体は、上記乗場開口部の対向壁にそれぞれ固定したことを特徴とするエレベータ乗場開口部の養生装置。
【発明の詳細な説明】
【０００１】
【発明の属する技術分野】
本発明は、エレベータ乗場開口部を養生するエレベータ乗場開口部の養生装置に関する。
【０００２】
【従来の技術】
据付工事中のエレベータにおいては、乗場開口部から作業員が転落したり、工具や機材類が落下するのを防止するために何等かの手段で同部を養生する必要がある。従来のエレベータ乗場開口部の養生装置として、特開平２−１４４３９３号公報に記載のものが知られており、これは図６の斜視図に示すように、乗場開口部１の開口面積よりも大きな表面積を有した養生シート２に、その高さ方向に所定の間隔で装着され乗場開口部１の幅寸法より大きな長さ寸法を有した複数の棒状体３ａ〜３ｃを取り付け、乗場開口部１の上下壁面間に圧接して配置したジャッキサポート４で乗場開口部１の頂部側に配設した棒状体３ａを支持するように構成している。ここでジャッキサポート４は、少なくとも乗場開口部１の高さ寸法と同一の長さ寸法を有する約２ｍ程度の長尺物となり、さらにそのエレベータの乗場階床数分が必要となることから、その運搬に大きな労力を要し、保管スぺースの確保が困難となっていた。
【０００３】
これに対して、特開平７−２５７８６２号公報に記載されたエレベータ乗場開口部の養生装置は、図７の斜視図に示すように、乗場開口部１の開口面積よりも大きな表面積を有した養生シート２に、その幅方向に延びて装着され乗場開口部１の幅寸法より大きな長さ寸法を有した複数の棒状体３ａ〜３ｃを取り付け、乗場開口部１の正面壁７ａに固定した支持金具５で乗場開口部１の頂部側に配設した棒状体３ａを支持し、乗場開口部１の正面壁７ａに打設したアンカボルト６で乗場開口部１の底部側に配設した棒状体３ｃを固定するように構成していた。この支持金具５およびアンカボルト６は、図６に示したジャッキサポート４に比べて小型軽量であるから運搬や保管に関する不都合を解消することができる。
【０００４】
【発明が解決しようとする課題】
しかしながら、従来のエレベータ乗場開口部の養生装置は、上述したように乗場開口部１を覆う養生シート２に取り付けた棒状体３ａ〜３ｃを支持するために、乗場開口部１の正面壁７ａに打設したアンカボルト６や支持金具５を用いていたため、エレベータの据付作業の完了後にアンカボルト６の打設部等の表面仕上げを行なう必要があるが、乗場開口部１の正面壁７ａにおける表面仕上げ作業がエレベータの据付作業以前に終わっている場合、同部にアンカボルト６を打設することができず、従来のエレベータ乗場開口部の養生装置を使用することができなかった。
【０００５】
本発明の目的とするところは、乗場開口部の周辺壁の状態による制限を受けることなく使用できるようにしたエレベータ乗場開口部の養生装置を提供することにある。
【０００６】
【課題を解決するための手段】
本発明は上記目的を達成するために、乗場開口部を覆う養生シートと、この養生シートに複数本装着され、養生シートの左右方向とその長尺方向とが略平行に配置された棒状体と、上記乗場開口部の近傍の壁部に対を成すように固定した支持体とを備え、上記支持体に上記棒状体の両端をそれぞれ支持したエレベータ乗場開口部の養生装置において、上記支持体は、上記乗場開口部の近傍の壁部に固定した固定部材と、この固定部材に対して開き角度を調整可能に連結した支持部材と、上記棒状体の端部を支持するように上記支持部材に形成した支持部とを有するとともに、上記乗場開口部の上方部及び上記乗場開口部の高さ方向中間部に、それぞれ対を成して対向配置し、上記高さ方向中間部に対を成して対向配置したものは、それぞれその上下方向二段に上記支持部を有することを特徴とする。
【０００７】
本発明のエレベータ乗場開口部の養生装置は、乗場開口部の近傍の壁部に固定した固定部材と、この固定部材に対して開き角度を調整可能に連結した支持部材とから支持体を構成するとともに、この支持体が乗場開口部の上方部及び高さ方向中間部に、それぞれ対を成して対向配置し、高さ方向中間部に対を成して対向配置したものは、それぞれその上下方向二段に支持部を有する構成にしたため、支持体を乗場開口部の近傍の正面壁に取り付ける場合には、固定部材と支持部材の開き角度をほぼ９０度となるように調整し、また支持体を乗場開口部の近傍の対向壁に取り付ける場合には、固定部材と支持部材の開き角度をほぼ１８０度となるように調整すれば良いから、正面壁もしくは対向壁のどちらか一方が表面仕上げ作業済であったとしても他方の壁面に支持体を設置することができ、建屋の状態による制限を受けることなくエレベータ乗場開口部の養生を行なうことができる。
【０００８】
【発明の実施の形態】
以下、本発明の実施の形態を図面によって説明する。
図１は、本発明の一実施の形態によるエレベータ乗場開口部の養生装置の設置状態を示す斜視図である。
エレベータ乗場開口部の養生装置は、乗場開口部１を十分に覆う大きさの養生シート２に、その高さ方向に所定間隔を隔てて、養生シート２の左右方向とその長尺方向とが略平行となるように水平に延びる複数本の棒状体３ａ〜３ｃを取り付け、この棒状体３ａ〜３ｃの軸長は乗場開口部１の幅寸法より大きくし、これら棒状体３ａ〜３ｃのうちの任意の本数の両端部、ここでは最上部に配置した棒状体３ａと中間部に配置した棒状体３ｂをそれぞれ支持する二対の支持体８を乗場開口部１の近傍の正面壁７ａに固定して構成している。
【０００９】
図４は、この支持体８の一つを拡大して示す斜視図である。
図示しないボルトなどの固定具を複数の挿入孔８１ａに挿入して正面壁７ａに固定する固定部材８ａに、ヒンジ部８ｃを介して支持部材８ｂが回動可能に連結されている。この支持部材８ｂは、棒状体３ａの端部を挿入する略Ｃ字状の切欠部８１ｂを上下二段に形成し、これらの切欠部８１ｂによって棒状体３ａの端部を受ける支持部８２ｂを上下二段に形成している。
【００１０】
次に、上述したエレベータ乗場開口部の養生装置により乗場開口部１を養生するときの作業手順について説明する。
先ず、図１に示すように乗場開口部１の頂部近傍の両側に位置する正面壁７ａに、ほぼ同一高さとなるように一対の支持体８を取り付ける。各支持体８は、図４に示したように固定部材８ａの挿入孔８１ａにボルトなどの固定具を挿入しながら正面壁７ａにねじ込んで固定し、このとき支持体８の固定部材８ａと支持部材８ｂは、ヒンジ部８ｃで開き角度をほぼ９０度となるように調整する。最上部に位置する一対の支持体８の取付け位置は、例えば、上下二段に設けられた支持部８２ｂのどちらかが乗場開口部１の頂部よりも高い位置となるようにする。また、乗場開口部１の高さ方向の中間部においても、その両側に位置する正面壁７ａにほぼ同一高さとなるように一対の支持体８を同様に取り付ける。
【００１１】
その後、上方部の一対の支持体８の支持部８２ｂ間に、養生シート２の最上部に取り付けた棒状体３ａの両端をそれぞれ支持させる。また乗場開口部１の高さ方向の中間部に設けた一対の支持体８の支持部８２ｂ間に、養生シート２の中間部に取り付けた棒状体３ｂの両端を同様に支持させると、風により養生シート２が変位し乗場開口部１が露出することを防止しながら、乗場開口部１を養生シート２で隙間なく完全に閉塞することができる。
【００１２】
図２は、本発明の他の実施の形態によるエレベータ乗場開口部の養生装置を示す斜視図である。
ここでは、乗場開口部１における両側方の対向壁７ｂにそれぞれ同じ高さの支持体８を二対取り付けている。先の場合と同様に図４に示したように固定部材８ａの挿入孔８１ａにボルトなどの固定具を挿入しながら対向壁７ｂにねじ込んで固定し、支持体８の固定部材８ａと支持部材８ｂは、ヒンジ部８ｃで開き角度をほぼ１８０度となるように調整する。上方部に位置する一対の支持体８の取付け位置は、乗場開口部１の対向壁７ｂの頂部とし、また乗場開口部１の対向壁７ｂの高さ方向の中間部にも、一対の支持体８を同様に取り付ける。いずれの位置の支持体８も、その支持部材８ｂが対向壁７ｂから正面側に突出するように、その固定部材８ａを対向壁７ｂの所定位置に固定する。
【００１３】
その後、対向壁７ｂの上方部に取り付けた一対の支持体８の支持部８２ｂ間に、養生シート２の最上部に取り付けた棒状体３ａを支持させ、また乗場開口部１の対向壁７ｂの高さ方向の中間部に設けた一対の支持体８の支持部８２ｂ間に、養生シート２の中間部に取り付けた棒状体３ｂを同様に支持させて、乗場開口部１を養生シート２で隙間なく完全に閉塞している。
【００１４】
この説明から分かるように支持体８は、図４に示したようにヒンジ部８ｃを介して固定部材８ａと支持部材８ｂを回動可能に構成しているため、固定部材８ａと支持部材８ｂ間の開き角度を調整することができる。従って、支持体８を乗場開口部１の近傍、例えば正面壁７ａに取り付ける際には、固定部材８ａと支持部材８ｂ間の開き角度を９０度に調整し、一方、対向壁７ｂに取り付ける際には、固定部材８ａと支持部材８ｂ間の開き角度を１８０度に調整すればよく、同一の構造のものを用いることができ安価に製作できる。しかも、支持体８を上述のように構成しているので、正面壁７ａもしくは対向壁７ｂのどちらか一方の表面仕上げ作業が済んでいたとしても、他方の壁に支持体８を取り付けて養生シート２を設置することができ、建屋の状態による制限を受けることなくエレベータ乗場開口部の養生を行なうことができる。
【００１５】
図３は、上述したエレベータ乗場開口部の養生装置の他の使用状態を示す斜視図である。
上述したように各支持体８の支持部材８ｂには、上下二段に支持部８２ｂを形成している。そこで、同図のように乗場開口部１の高さ方向の中間部に配置した一対の支持体８では、上方に位置する支持部８２ｂ間に中間部の棒状体３ｂを支持し、下方に位置する支持部８２ｂ間に、養生シート２の下部を巻き上げた底部の棒状体３ｃを支持することができる。この状態で、乗場開口部１の下部に養生シート２がない部分が形成されるので、この部分から昇降路内へ壁材等を搬入することができる。このように下方に位置する棒状体３ｃに養生シート２の下部を巻き付け、その棒状体３ｃを任意の支持体８に支持することにより、作業のためのスぺースを容易に確保できるので使い勝手が良い。
【００１６】
尚、上述の実施の形態では、全ての支持体８を同一構造としたが、図３のような使用形態をする支持体８だけに上下二段の支持部８２ｂを形成し、他の支持体８は一つの支持部８２ｂのみを形成するようにしても良い。また、支持部８２ｂの形状や大きさは任意に設定することができる。
【００１７】
また、図５に示すように、４ケの支持体８を使用することにより、乗場開口部１が大きい場合にも、養生シート２を２枚重ねて対応することができる。
【００１８】
【発明の効果】
以上説明したように本発明によるエレベータ乗場開口部の養生装置は、養生シートの上部およびその他の位置にそれぞれ棒状体を取り付け、乗場開口部の近傍の壁部に対を成す支持体をそれぞれ設け、これら対を成す支持体は、壁部に固定した固定部材と、この固定部材に開き角度を調整可能に連結した支持部材とから成り、この支持部材に棒状体の両端をそれぞれ支持するようにしたため、支持体を正面壁や対向壁に取り付けできるので、いずれか一方が表面仕上げ作業済であったとしても他方の壁に取り付けることができ、建屋の状態による制限を受けることなくエレベータ乗場開口部の養生を行なうことができる。
また特に、支持体は、乗場開口部の上方部及び高さ方向中間部に、それぞれ対を成して対向配置し、高さ方向中間部に対を成して対向配置したものは、それぞれその上下方向二段に支持部を有する構成にしてあることから、高さ方向中間部に位置する支持部間に、養生シートの下部を巻き上げた棒状体を支持させることができ、これにより乗場開口部の下部に養生シートがない部分が形成されるので、この部分から昇降路内へ壁材等を搬入することができる。すなわち、養生シートがない部分を作業のためのスぺースとして活用することができるので使い勝手が良い。
【図面の簡単な説明】
【図１】本発明の一実施の形態によるエレベータ乗場開口部の養生装置における設置状態を示す斜視図である。
【図２】本発明の他の実施の形態によるエレベータ乗場開口部の養生装置における設置状態を示す斜視図である。
【図３】図１に示したエレベータ乗場開口部の養生装置における他の使用状態を示す斜視図である。
【図４】図１に示したエレベータ乗場開口部の養生装置における要部である支持体の拡大斜視図である。
【図５】図１に示したエレベータ乗場開口部の養生装置におけるさらに他の使用状態を示す斜視図である。
【図６】従来のエレベータ乗場開口部の養生装置を示す斜視図である。
【図７】従来の他のエレベータ乗場開口部の養生装置を示す斜視図である。
【符号の説明】
１  乗場開口部
２  養生シート
３ａ〜３ｃ  棒状体
７ａ  正面壁
７ｂ  対向壁
８  支持体
８ａ  固定部材
８ｂ  支持部材
８ｃ  ヒンジ部
８２ｂ  支持部
【図１】
0003797802.tif 000002
【図２】
0003797802.tif 000003
【図３】
0003797802.tif 000004
【図４】
0003797802.tif 000005
【図５】
0003797802.tif 000006
【図６】
0003797802.tif 000007
【図７】
0003797802.tif 000008